(57)【要約】【課題】刊行物の同一ページに掲載された複数記事において、所望の記事の電子データを簡単な操作で入手可能とした。【解決手段】刊行物４０の各ページの記事毎にはチェックボックス４１が設けられている。電子データの提供を希望する記事のチェックボックス４１にチェックマークを入れ、そのページ全体を携帯端末装置１０のカメラで撮影し、記事の電子データを格納する刊行物データ保管装置２０に送信する。刊行物データ保管装置２０では、受信したページ画像の内のチェックマークが有るチェックボックス４１に対応する記事の電子データを、ネットワーク３０を介して携帯端末装置１０に提供する。【選択図】      図１
2008131333.tif 000002
【特許請求の範囲】
【請求項１】
ページ内の記事毎にチェックボックスが設けられた刊行物と、
この刊行物のページ全体を撮影可能な撮影機能付き携帯端末装置と、
前記記事の電子データを格納する刊行物データ保管装置と、
を備え、
前記刊行物データ保管装置は、前記携帯端末装置が撮影した前記刊行物のページ画像をネットワークを介して受信し、前記ページ画像のチェックボックスにチェックが有る場合に、そのチェックボックスに対応する記事の電子データをネットワークを介して前記携帯端末装置に提供することを特徴とする刊行物記事提供方法。
【請求項２】
前記刊行物データ保管装置は、前記刊行物の各ページ毎のページレイアウトデータ及び前記チェックボックスの位置データを格納し、前記携帯端末装置から受信したページ画像と前記レイアウトデータとの比較によって撮影ページを特定し、その特定されたページにおけるチェックボックスの位置データにより前記チェックマークの有無を判別することで記事の選択を判断することを特徴とする請求項１記載の刊行物記事提供方法。
【請求項３】
前記刊行物データ保管装置は、記事の電子データの提供先として前記携帯端末装置からメールアドレスを受信した場合は、選択された記事の電子データをそのメールアドレスに送信することを特徴とする請求項１乃至２の何れか１つに記載の刊行物記事提供方法。
【請求項４】
前記チェックボックスへのチェックが、書き込みマークであることを特徴とする請求項１乃至３の何れか１つに記載の刊行物記事提供方法。
【請求項５】
前記チェックボックスへのチェックが、付箋の貼り付けであることを特徴とする請求項１乃至３の何れか１つに記載の刊行物記事提供方法。
【請求項６】
前記刊行物データ保管装置は、前記携帯端末装置から受信したぺージ画像にページ折り返しを検出すると、そのページの全ての記事が選択されたと判断することを特徴とする請求項１乃至３記載の刊行物記事提供方法。
【請求項７】
前記刊行物は、前記刊行物データ保管装置に格納されている記事の電子データに基づき制作されていることを特徴とする請求項１乃至３の何れか１つに記載の刊行物記事提供方法。
【請求項８】
ページ内の記事毎にチェックボックスが設けられた刊行物と、
この刊行物のページ全体を撮影可能な撮影機能付き携帯端末装置と、
前記記事の電子データを格納し、前記携帯端末装置が撮影した前記刊行物のページ画像をネットワークを介して受信し、前記ページ画像のチェックボックスにチェックが有る場合に、そのチェックボックスに対応する記事の電子データをネットワークを介して前記携帯端末装置に提供する刊行物データ保管装置と、
を備えたことを特徴とする刊行物記事提供システム。
【請求項９】
前記刊行物データ保管装置は、前記刊行物の各ページ毎のページレイアウトデータ及び前記チェックボックスの位置データを格納し、前記携帯端末装置から受信したページ画像と前記レイアウトデータとの比較によって撮影ページを特定し、その特定されたページにおけるチェックボックスの位置データにより前記チェックマークの有無を判別することで記事の選択を判断することを特徴とする請求項８記載の刊行物記事提供システム。
【請求項１０】
前記刊行物データ保管装置は、記事の電子データの提供先として前記携帯端末装置からメールアドレスを受信した場合は、選択された記事の電子データをそのメールアドレスに送信することを特徴とする請求項８乃至９の何れか１つに記載の刊行物記事提供システム。
【請求項１１】
前記チェックボックスへのチェックが、書き込みマークであることを特徴とする請求項８乃至１０の何れか１つに記載の刊行物記事提供システム。
【請求項１２】
前記チェックボックスへのチェックが、付箋の貼り付けであることを特徴とする請求項８乃至１０の何れか１つに記載の刊行物記事提供システム。
【請求項１３】
前記刊行物データ保管装置は、前記携帯端末装置から受信したぺージ画像にページ折り返しを検出すると、そのページの全ての記事が選択されたと判断することを特徴とする請求項８乃至１０記載の刊行物記事提供システム。
【請求項１４】
前記刊行物は、前記刊行物データ保管装置に格納されている記事の電子データに基づき制作されていることを特徴とする請求項８乃至１０の何れか１つに記載の刊行物記事提供システム。
【発明の詳細な説明】
【技術分野】
【０００１】
本発明は、刊行物記事提供方法、及び、刊行物記事提供システムに関する。
【背景技術】
【０００２】
現在、雑誌等の記事を電子データとして、ネットワークを介して販売するサービスが知られている。このサービスでは、記事販売を行っているウェブサイトにおいて、膨大な数の記事リストから、自分の欲しい記事を逐一選択する必要がある。
【０００３】
又、記事等に特定のコードが付加されており、そのコードを使用して電子データを得る方法もあるが、このコードが数値列である場合は、情報端末装置にそのコードを逐一入力しなくてはいけない。
【０００４】
特開２００５−９４６４１号公報（特許文献１）には、雑誌の記事に二次元コードが掲載され、この二次元コードを携帯電話装置のカメラで読み取るとサーバーにアクセス出来る技術が開示されている。
【０００５】
【特許文献１】特開２００５−９４６４１号公報
【発明の開示】
【発明が解決しようとする課題】
【０００６】
上記特許文献１記載の技術においては、多くの記事データを入手する場合、記事毎に二次元コードの撮影と情報要求との手順を繰り返し行わなくてはならなかった。
【０００７】
本発明の目的は、このような従来の課題を解決し、刊行物の同一ページに掲載された複数記事において、所望の記事の電子データを簡単な操作で入手可能とした刊行物記事提供方法、及び、刊行物記事提供システムを提供することにある。
【課題を解決するための手段】
【０００８】
本発明の刊行物記事提供方法は、ページ内の記事毎にチェックボックスが設けられた刊行物と、この刊行物のページ全体を撮影可能な撮影機能付き携帯端末装置と、前記記事の電子データを格納する刊行物データ保管装置と、を備え、前記刊行物データ保管装置は、前記携帯端末装置が撮影した前記刊行物のページ画像をネットワークを介して受信し、前記ページ画像のチェックボックスにチェックが有る場合に、そのチェックボックスに対応する記事の電子データをネットワークを介して前記携帯端末装置に提供することを特徴とする。
【０００９】
又、本発明の刊行物記事提供方法において、前記刊行物データ保管装置は、前記刊行物の各ページ毎のページレイアウトデータ及び前記チェックボックスの位置データを格納し、前記携帯端末装置から受信したページ画像と前記レイアウトデータとの比較によって撮影ページを特定し、その特定されたページにおけるチェックボックスの位置データにより前記チェックマークの有無を判別することで記事の選択を判断するようにしても良い。
【００１０】
又、本発明の刊行物記事提供方法において、前記刊行物データ保管装置は、記事の電子データの提供先として前記携帯端末装置からメールアドレスを受信した場合は、選択された記事の電子データをそのメールアドレスに送信するようにしても良い。
【００１１】
又、本発明の刊行物記事提供方法において、前記チェックボックスへのチェックが、書き込みマークであっても良い。
【００１２】
又、本発明の刊行物記事提供方法において、前記チェックボックスへのチェックが、付箋の貼り付けであっても良い。
【００１３】
又、本発明の刊行物記事提供方法において、前記刊行物データ保管装置は、前記携帯端末装置から受信したぺージ画像にページ折り返しを検出すると、そのページの全ての記事が選択されたと判断するようにしても良い。
【００１４】
又、本発明の刊行物記事提供方法において、前記刊行物は、前記刊行物データ保管装置に格納されている記事の電子データに基づき制作されていても良い。
【００１５】
本発明の刊行物記事提供システムは、ページ内の記事毎にチェックボックスが設けられた刊行物と、この刊行物のページ全体を撮影可能な撮影機能付き携帯端末装置と、前記記事の電子データを格納し、前記携帯端末装置が撮影した前記刊行物のページ画像をネットワークを介して受信し、前記ページ画像のチェックボックスにチェックが有る場合に、そのチェックボックスに対応する記事の電子データをネットワークを介して前記携帯端末装置に提供する刊行物データ保管装置と、を備えたことを特徴とする。
【００１６】
又、本発明の刊行物記事提供システムにおいて、前記刊行物データ保管装置は、前記刊行物の各ページ毎のページレイアウトデータ及び前記チェックボックスの位置データを格納し、前記携帯端末装置から受信したページ画像と前記レイアウトデータとの比較によって撮影ページを特定し、その特定されたページにおけるチェックボックスの位置データにより前記チェックマークの有無を判別することで記事の選択を判断するようにしても良い。
【００１７】
又、本発明の刊行物記事提供システムにおいて、前記刊行物データ保管装置は、記事の電子データの提供先として前記携帯端末装置からメールアドレスを受信した場合は、選択された記事の電子データをそのメールアドレスに送信するようにしても良い。
【００１８】
又、本発明の刊行物記事提供システムにおいて、前記チェックボックスへのチェックが、書き込みマークであっても良い。
【００１９】
又、本発明の刊行物記事提供システムにおいて、前記チェックボックスへのチェックが、付箋の貼り付けであっても良い。
【００２０】
又、本発明の刊行物記事提供システムにおいて、前記刊行物データ保管装置は、前記携帯端末装置から受信したぺージ画像にページ折り返しを検出すると、そのページの全ての記事が選択されたと判断するようにしても良い。
【００２１】
又、本発明の刊行物記事提供システムにおいて、前記刊行物は、前記刊行物データ保管装置に格納されている記事の電子データに基づき制作されていても良い。
【発明の効果】
【００２２】
本発明によれば、記事データをネットワークを介して取得する場合に、記事リストの指定や記事毎のコード入力の手間を省くことができる。特に、１ページに欲しい記事が複数あった場合でも、記事毎にコードを入力しデータ要求する手間が省ける。
【発明を実施するための最良の形態】
【００２３】
次に、本発明を実施するための最良の形態について図面を参照して詳細に説明する。図１は、本発明の一実施形態の全体構成を示す図である。本発明の一実施形態における刊行物記事提供システムは、カメラを搭載した携帯端末装置１０と、刊行物の記事の電子データ（刊行物データ）を保管している刊行物データ保管装置２０と、携帯端末装置１０及び刊行物データ保管装置２０を互いに接続するネットワーク（インターネット）３０と、刊行物データの記事電子データを元に製本され販売された刊行物４０とから構成される。
【００２４】
刊行物４０には、図示のとおり、記事毎にチェックボックス４１が印刷されている。又、刊行物データ保管装置２０は、図示省略したが、刊行物データを格納する記憶装置と、ネットワーク３０に接続して携帯端末装置１０からの記事データ要求に応じた処理を実行するサーバ装置とを備えている。
【００２５】
図２は、図１の刊行物データ保管装置２０に格納されている刊行物データの一例を示す図である。図示したように、刊行物データ１００は、刊行物特定の為に刊行物毎に付与されデータ管理用の刊行物ＩＤと、刊行物名称のデータと、ページデータとから構成される。各ページのページデータは、そのページの全体レイアウト（見出し文字や記事画像の位置等）を示すページレイアウトデータと、テキスト及び画像により構成される記事データと、当該記事のチェックボックス４１のページ内における位置（相対的な座標）データとを有している。ここで、記事データは、刊行物を印刷する際に用いたデータであるが、携帯端末装置用１０に再編集したデータを併せて持つようにしても良い。尚、同図ではページデータ１のみ、その詳細内容を例示しているが、他のページデータ２−ページデータｎについても同様である。
【００２６】
図３は、図１の携帯端末装置１０の機能ブロック図である。携帯端末装置１０は、例えば、現在販売されているカメラ機能内蔵の携帯電話機で良い。携帯端末装置１０は、ＣＰＵ（Ｃｅｎｔｒａｌ  Ｐｒｏｃｅｓｓｉｎｇ  Ｕｎｉｔ）１０１と、通信部１０２と、記憶部１０３と、表示部１０４と、入力部１０５と、カメラ部１０６とを有している。ＣＰＵ１０１は、携帯端末装置１０内の各部を制御し、必要な情報処理を行う。通信部１０２は、ネットワーク３０と接続するための無線通信機能を実現する。記憶部１０３は、カメラやブラウザ等の携帯端末装置１０の各機能の制御プログラム及びデータや、撮影した画像や、受信した記事データなどを保存する。表示部１０４は、各種情報を表示するために使用される。入力部１０５は、ユーザが携帯端末装置１０の各機能の操作を行うために使用する。カメラ部１０６は、画像を撮影するために使用される。
【００２７】
次に、本発明を実施するための最良の形態の動作について図面を参照して説明する。まず、前提として、本システムを利用するユーザは、刊行物４０を購入し、電子データが欲しい記事の各々について、該当するチェックボックス４１に所定のチェックマークを付けておく。
【００２８】
そして、携帯端末装置１０においてカメラ部１０６を起動し（ステップＳ１０１）、刊行物４０においてチェックマークを付けたページの撮影を行う（ステップＳ１０２）。複数のページにチェックマークを付けた場合は、それぞれのページを撮影する。
【００２９】
次に、携帯端末装置１０の通信部１０２の通信機能によりネットワーク３０を介して刊行物データ保管装置２０にアクセスし（ステップＳ１０３）、ユーザ認証を行う（ステップＳ１０４）。このユーザ認証は、既存の多くのシステムと同様に、ＩＤとパスワードを用いる方式で良い。続いて、刊行物データ保管装置２０は、刊行物データ１００に含まれている刊行物ＩＤ及び刊行物名称を用いて、記事データの提供対象となっている刊行物の一覧データを、ネットワーク３０を介して携帯端末装置１０に提供する（ステップＳ１０５）。
【００３０】
次に、携帯端末装置１０では、刊行物データ保管装置２０から受信した刊行物一覧データを表示部１０４に表示する（ステップＳ１０６）。これを見たユーザは、購入した刊行物４０を刊行物一覧データから選択し、その選択結果（刊行物ＩＤ）をネットワーク３０を介して刊行物データ保管装置２０に送信する（ステップＳ１０７）。刊行物データ保管装置２０は、受信した刊行物ＩＤを記事検索対象の刊行物ＩＤとしてセットし、携帯端末装置１０に撮影画像を要求する（ステップＳ１０８）。
【００３１】
携帯端末装置１０は、刊行物４０を選択した後、刊行物４０のチェックマークを付けたページの撮影画像を刊行物データ保管装置２０に送信する（ステップＳ１０９）。刊行物の撮影画像が複数ある場合は、それを端末内で一つにまとめて（アーカイブして）送信する。刊行物データ保管装置２０は、携帯端末装置１０から撮影画像を受信すると（ステップＳ１１０）、その画像と各ページのページレイアウトデータとを比較して、撮影されたページを特定する（ステップＳ１１１）。
【００３２】
続いて、刊行物データ保管装置２０は、特定されたページにおけるチェックボックス４１の位置を参照し、チェックマークの有無を判別する（ステップＳ１１２）。そして、刊行物データ保管装置２０は、チェックマークが付けられた記事の記事データを携帯端末装置１０へ送信し（ステップＳ１１３）、必要に応じて所定の決済処理を行う（ステップＳ１１４）。一方、携帯端末装置１０では、刊行物データ保管装置２０から記事データを受信して、適宜保存や表示を行う（ステップＳ１１５）。尚、ステップＳ１１３における記事データ送信は、携帯端末装置１０によるダウンロードで実行しても良いし、携帯端末装置１０のメールアドレスに刊行物データ保管装置２０から電子メールで送付する方法でも良い。
【００３３】
以上説明したように、本実施形態によれば、記事データをネットワークを介して取得する場合に、記事リストの指定や記事毎のコード入力の手間を省くことができる。特に、１ページに欲しい記事が複数あった場合や、複数のページに欲しい記事があった場合でも、刊行物データ保管装置２０への記事データ要求は一度で済むという効果がある。又、雑誌の記事を簡単にデータ保存できるという点がセールスポイントとなり、刊行物の売り上げに貢献することもできる。
【００３４】
尚、上記の実施形態において、刊行物データ保管装置２０からの刊行物一覧データの提供と、携帯端末装置１０におけるこの一覧データに基づく刊行物選択とを省略し（図４のステップＳ１０５−ステップＳ１０８を省略）、その代わりにステップＳ１１１の撮影画像のレイアウト識別を用いて、全ての刊行物から特定のページ及び記事を特定するようにしても良い。但し、上記実施形態のように検索対象となる刊行物を指定することで、検索を早く行うことが出来る。
【００３５】
更に別の変形例として、各ページの所定位置に刊行物４０を特定するコード（二次元コードや数字データ等）を含ませておき、これを含んでページ全体を撮影する、或いは、そのコードを別に撮影するようにしても良い。刊行物データ保管装置２０において、このコードの画像を識別し、刊行物ＩＤを得るようにすれば、刊行物データ保管装置２０からの刊行物一覧データの提供と、携帯端末装置１０におけるこの一覧データに基づく刊行物選択処理が省略出来る。
【００３６】
以上の実施形態においては、例えばチェックボックス４１内に「何か」が書かれていることを検知した場合を「チェックマーク有り」と検出している。従って、図５に示すように、種々のチェックマークを使用することが出来る。
【００３７】
又、チェックマークの書込みではなく、予め決められた所定の付箋の貼り付けを行い、そのページにおける付箋の位置を認識することで、記事を特定するようにしてもよい。更に、例えば、ページの端を折り、その「折り」を認識すると、そのページ全体の記事を選択するようにしてもよい。
【００３８】
又、雑誌一冊一冊に異なる発行ナンバーを付けて携帯端末装置１０からの認証に用い、一度購入した記事については二度目を購入不可として、色々な人に記事取得されることを防ぐようにしても良い。
【００３９】
更に、刊行物データ保管装置２０に記事データの要求を行う際に、記事データの送信先を携帯端末装置１０以外で指定出来るようにしても良い。例えば、送信先メールアドレスとして携帯端末装置１０のアドレスではなく、自宅のパーソナルコンピュータのアドレス等にしておくことで、自宅のパーソナルコンピュータにおいて記事が閲覧出来る。その場合、刊行物データ保管装置２０では、パーソナルコンピュータで閲覧するのに適した記事画像データを予め用意しておき、送信先が携帯端末装置１０のメールアドレスでない場合には、そのデータを送信するようにしても良い。
【００４０】
尚、本発明は上述の実施形態のみに限定されるものではなく、本発明の要旨を逸脱しない範囲で種々変形して実施することが出来る。
【図面の簡単な説明】
【００４１】
【図１】本発明の一実施形態の全体構成を示す図である。
【図２】本発明の一実施形態において刊行物データ保管装置に格納されている刊行物データの一例を示す図である。
【図３】本発明の一実施形態における携帯端末装置の機能ブロック図である。
【図４】本発明の一実施形態の動作を説明するフローチャートである。
【図５】本発明の一実施形態におけるチェックマークの例を示す図である。
【符号の説明】
【００４２】
１０    携帯端末装置
２０    刊行物データ保管装置
３０    ネットワーク
４０    刊行物
４１    チェックボックス
１００    刊行物データ
１０１    ＣＰＵ
１０２    通信部
１０３    記憶部
１０４    表示部
１０５    入力部
１０６    カメラ部
【図１】
2008131333.tif 000003
【図２】
2008131333.tif 000004
【図３】
2008131333.tif 000005
【図４】
2008131333.tif 000006
【図５】
2008131333.tif 000007